(57)【特許請求の範囲】
【請求項１】
様々な厚みの原稿を載置する載置部を有する機台と、前記載置部に載置された原稿を上方より押さえる原稿押さえカバーを機台に開閉可能に取り付ける原稿押さえカバーの開閉機構において、
前記原稿押さえカバーを取り付けたカバー側支持部材は、前記機台に取り付けられる機台側支持部材に対して上下回動可能に取り付けられるとともに、
前記機台側支持部材と前記カバー側支持部材との間には、原稿押さえカバーを完全に閉じる手前で支点越えをして原稿押さえカバーを閉じる方向へ付勢するとともに閉じた状態の原稿押さえカバーを開いて支点越えをした後は原稿押さえカバーを開く方向へ付勢する伸縮自在な圧縮ばねと、前記原稿押さえカバーが開状態で静止するときの衝撃を吸収する衝撃吸収部材と、
を配置したことを特徴とする原稿押さえカバーの開閉機構。
【請求項２】
前記衝撃吸収部材は、機台側支持部材とカバー側支持部材とにそれぞれ設けられ、原稿押さえカバーが開状態で静止するときに、互いに当接する部材にて構成されていることを特徴とする請求項１記載の原稿押さえカバーの開閉機構。
【請求項３】
機台側支持部材とカバー側支持部材とにそれぞれ設けられる前記衝撃吸収部材の少なくとも一方の部材は、弾性部材にて構成されることを特徴とする請求項２記載の原稿押さえカバーの開閉機構。
【発明の詳細な説明】
【０００１】
【発明の属する技術分野】
本発明は、読取部に原稿を静止状に載置して該静止原稿を読み取る画像読取装置の、該読取部に載置する原稿を押さえるためのカバーの開閉機構に関する。
【０００２】
【従来の技術】
従来から、読取部に本などの原稿を静止状に載置して該静止原稿を読み取る画像読取装置、所謂フラットベッドタイプの画像読取装置においては、該読取部に載置した原稿の上方より押さえる押さえカバーが、開閉可能に設けられていた。この押さえカバーの開閉機構として、読取部の機台に取り付けた機台側支持部材と押さえカバーに固設したカバー側支持部材とを枢結し、該機台側支持部材とカバー側支持部材との間に付勢杆を介装して、押さえカバーが閉じている場合には閉じる方向へ付勢し、該押さえカバーが開いている場合は開く方向へ付勢して、押さえカバーの開閉状態をそれぞれ保持する機構が知られている。
【０００３】
【発明が解決しようとする課題】
しかし、画像読取装置の連続原稿給送のための原稿供給トレイ及び原稿排出トレイなどを搭載した押さえカバーにおいては、該押さえカバーの重量がかなり重くなっており、この重量物である押さえカバーの開状態を安定して保持するために、前記開閉機構の付勢杆には、付勢力がかなり大きいスプリングを使用していた。
このため、押さえカバーを開いて開状態に静止させるときに、スプリングの付勢力によって大きな衝撃が発生していた。また、この衝撃を小さくするためにスプリングの付勢力を弱くすると、開状態の保持が不安定となっていた。
従って、開状態を安定して保持するとともに、押さえカバーを開いて開状態に静止させるときの衝撃を緩和する開閉機構が望まれているのである。
【０００４】
【課題を解決するための手段】
本発明は、原稿押さえカバーの開閉機構における以上のような課題を解決すべく、次のような手段を用いるものである。即ち、様々な厚みの原稿を載置する載置部を有する機台と、前記載置部に載置された原稿を上方より押さえる原稿押さえカバーを機台に開閉可能に取り付ける原稿押さえカバーの開閉機構において、前記原稿押さえカバーを取り付けたカバー側支持部材は、前記機台に取り付けられる機台側支持部材に対して上下回動可能に取り付けられるとともに、前記機台側支持部材と前記カバー側支持部材との間には、原稿押さえカバーを完全に閉じる手前で支点越えをして原稿押さえカバーを閉じる方向へ付勢するとともに閉じた状態の原稿押さえカバーを開いて支点越えをした後は原稿押さえカバーを開く方向へ付勢する伸縮自在な圧縮ばねと、前記原稿押さえカバーが開状態で静止するときの衝撃を吸収する衝撃吸収部材と、を配置した。
【０００５】
また、前記衝撃吸収部材は、機台側支持部材とカバー側支持部材とにそれぞれ設けられ、原稿押さえカバーが開状態で静止するときに、互いに当接する部材にて構成されている。
【０００６】
また、機台側支持部材とカバー側支持部材とにそれぞれ設けられる前記衝撃吸収部材の少なくとも一方の部材は、弾性部材にて構成される。
【０００７】
【発明の実施の形態】
本発明の実施の形態を、添付の図面より説明する。図１は本発明の原稿押さえカバーの開閉機構であって、押さえカバーを開いた状態を示す側面一部断面図、図２は同じく載置部上に閉じた状態を示す側面一部断面図、図３は同じく載置部上の厚みのある原稿を押さえカバーで押さえつけた状態を示す側面一部断面図、図４は本発明の原稿押さえカバーの開閉機構が適用される、上部に静止原稿の画像読取部を有する画像記録装置の斜視図、図５は同じく画像記録装置の画像読取部の内部を示す部分側面図、図６は連続原稿給送部を搭載した原稿押さえカバーを備えた画像記録装置の斜視図である。
【０００８】
まず、本発明の原稿押さえカバーの開閉機構の適用例として、静止原稿の画像読取部を上部に形成する画像記録装置について、図４及び図５により説明する。装置全体の筐体構造としては、読取ケースＡ’と記録ケース１０とを上下に配設している。画像読取部は画像記録装置の上部に形成されるものであり、本などの原稿を静止状に載置する透明状の静止原稿載置面Ｂ’が該画像読取部の上面に配設されている。
そして、該静止原稿載置面Ｂ’の側方にて、該読取ケースＡ’に、開閉機構を介して、開閉自在に原稿押さえカバーＣ’を取付けており、該原稿押さえカバーＣ’にて、静止原稿載置面Ｂ’上に載置された原稿を上方より押さえるものとなっている。
【０００９】
読取ケースＡ’内においては、図５の如く、その底面にレンズ１３ａ及び光電変換器１３ｂを具備する光電変換ユニット１３が固設されており、光源１１ａ及び第一反射鏡１１ｂを具備する第一走査体１１と、第二反射鏡１２ａ及び第三反射鏡１２ｂを具備する第二走査体１２とを、該静止原稿載置面Ｂ’の下方にて搬送させ、光源１１ａにて該静止原稿載置面Ｂ’を照射して、その上方に載置される原稿Ｄ’の画像を、第一反射鏡１１ｂ、第二反射鏡１２ａ、及び第三反射鏡１２ｂを介して反射し、該光電変換ユニット１３のレンズ１３ａに結像させ、光変換器１３ｂにて電子信号化するものである。
【００１０】
なお、読取ケースＡ’上部には、該静止原稿載置面Ｂ’に隣接して、給送原稿読取部１４が配設されており、その上方には連続原稿給送部１５が配設され、また、原稿押さえカバーＣ’の上面には排出トレイ１８を、その上方には複数の原稿を堆積状に載置できる原稿供給トレイ１７を配設して、一枚ずつ連続状に給送する原稿を読み取ることもできるように構成している。この場合には、給送原稿読取部１４の下方に第一走査体１１及び第二走査体１２を静止させておくものである。
【００１１】
このような画像読取部にて読み取られた画像情報や、或いは、受信したファクシミリ情報をもとに、記録ケース１０内に形成されている記録部にて、記録紙に記録がなされる。
【００１２】
図１乃至図３に示す本発明の押さえカバーの開閉機構を、前述のような画像記録装置に適用する場合には、機台Ａを読取ケースＡ’と、原稿の載置部Ｂを静止原稿載置面Ｂ’と、押さえカバーＣを原稿押さえカバーＣ’と、そして、原稿Ｄを原稿Ｄ’と置き換えるものである。このことを前提として、次に、本発明にかかる原稿押さえカバーの開閉機構について、図１乃至図３により説明する。
【００１３】
機台Ａにおける載置部Ｂの側方に、機台側支持部材６を固設し、該機台側支持部材６に上下摺動自在に摺動支持部材７を嵌入し、押さえカバーＣを直接取付けたカバー側支持部材８を、該摺動支持部材７に、枢支点Ｐ３にて上下回動自在に枢支しており、バネ部材である圧縮バネ５を巻装する付勢杆４の基端４ａを、該摺動支持部材７における該枢支点Ｐ３よりも載置部Ｂ寄り側に枢支し、先端４ｂを、カバー側支持部材３の先端部に枢支している。
尚、該機台側支持部材６にガイド用の長孔６ａが穿設されていて、該ガイド用長孔６ａを貫通して、位置調節ピン９を該摺動支持部材７に係合している。
【００１４】
また、前記摺動支持部材７の後面の上端部は、前方へ屈曲して当接部７ａを形成している。そして、カバー側支持部材８の後面下部の内部側面には、弾性部材２１が配設されている。該弾性部材２１は、例えばゴムや合成樹脂などで構成され、カバー側支持部材８後面の内部側面にボルト２２などを用いて固設されている。
該弾性部材２１の下端と前記当接部７ａの上面とは、押さえカバーＣを開いた状態において当接し、開いた状態の押さえカバーＣの位置を決定している。
【００１５】
図１は、押さえカバーＣを開いた状態を示しており、図２は載置部Ｂ上に原稿がないか、或いは極めて薄手の原稿Ｄが載置されていて、押さえカバーＣを載置部Ｂ上に閉めた状態を示している。押さえカバーＣが開いた状態においては、前記圧縮バネ５は伸びる方向に付勢しているので、該圧縮バネ５によってカバー側支持部材８は押さえカバーＣが開く方向へ付勢されており、前記弾性部材２１と当接部７ａとが当接する位置で押さえカバーＣは静止して、開いた状態を安定して保持している。また、押さえカバーＣが開いた状態から該カバーＣを閉じるときには、圧縮バネ５の開く方向への付勢力に逆らって該カバーＣを下方に回動させることなる。そして、押さえカバーＣが完全に閉じる少し手前で、圧縮バネ５による付勢は支点越えをして、押さえカバーＣが閉じた状態において、圧縮バネ５は該カバーＣを閉じる方向に付勢することとなる。
【００１６】
即ち、押さえカバーＣが開いた状態においては、付勢杆４の先端４ｂの中心と枢支点Ｐ３の中心とを結んだ線の下方に付勢杆４の基端４ａがあるので、圧縮バネ５の付勢力によりカバー側支持部材８は押さえカバーＣが開く方向へ付勢され、押さえカバーＣが閉じた状態においては、前記先端４ｂの中心と枢支点Ｐ３の中心とを結んだ線の上方に付勢杆４の基端４ａがあるので、圧縮バネ５の付勢力によりカバー側支持部材８は押さえカバーＣが閉じる方向へ付勢されることとなる。
【００１７】
以上のような構成により、押さえカバーＣが閉じているときには該カバーＣは下方に付勢されて閉じた状態を安定して保持することができ、この閉じた状態から押さえカバーＣを開くときには、該カバーＣを少し持ち上げれば圧縮バネ５の付勢は支点越えして該カバーＣを開く方向に付勢するようになって、押さえカバーＣは自動的に開く。
そして、前記弾性部材２１と当接部７ａとが当接した位置で、押さえカバーＣは静止して、開いた状態を安定して保持するのである。弾性部材２１と当接部７ａとが当接する際には、該弾性部材２１が当接の衝撃を吸収するので、この衝撃を緩和することができる。
【００１８】
また、図５のように、ある程度の厚みを持った原稿Ｄが載置部Ｂ上に載置されているときには、摺動支持部材７が該機台側支持部材６内にて上方に摺動し、これによって枢支点Ｐ３の位置が高くなり、つまり、カバー側支持部材８の基端を高くすることができるので、カバー側支持部材８を水平にすることができ、これと一体の押さえカバーＣにて、原稿Ｄを確実に押さえつけることができるのである。
【００１９】
以上のように構成した原稿押さえカバーの開閉機構は、付勢杆４に巻装した圧縮バネ５の付勢力を大きく構成して、カバー側支持部材８の摺動支持部材７への当接部に弾性部材２１を取付けたもので、押さえカバーＣを開いて開状態に静止させるときには、カバー側支持部材８に取り付けた弾性部材２１が、摺動支持部材７の当接部７ａと当接して衝撃を吸収するので、該押さえカバーＣを開状態に静止させるときの衝撃を確実に緩和することができるのである。
また、該弾性部材２１は、該押さえカバーＣが開いて静止した状態を安定して保持することができる硬度に形成している。
【００２０】
また、図６に示すように、画像記録装置に適用した場合において、押さえカバーＣ’に連続原稿給送部１５を装着し、該押さえカバーＣ’と一体的に開閉動作をするよう構成して、押さえカバーＣ’の重量がさらに大きくなった場合においても、該押さえカバーＣ’が開いて静止した状態を安定して保持することができる硬度に弾性部材２１を形成し、また押さえカバーＣ’を開いて開状態に静止させるときの衝撃を緩和できるように構成している。
この結果、前述の押さえカバーＣを開状態に静止させるときの衝撃を確実に緩和する効果と、押さえカバーＣが開いて静止した状態を安定して保持する効果は同様に奏されるのである。
【００２１】
【発明の効果】
本発明は、原稿押さえカバーの開閉機構において、以上のような構成とすることで、次のような効果を奏する。まず、請求項１の如く、様々な厚みの原稿を載置する載置部を有する機台と、前記載置部に載置された原稿を上方より押さえる原稿押さえカバーを機台に開閉可能に取り付ける原稿押さえカバーの開閉機構において、前記原稿押さえカバーを取り付けたカバー側支持部材は、前記機台に取り付けられる機台側支持部材に対して上下回動可能に取り付けられるとともに、前記機台側支持部材と前記カバー側支持部材との間には、原稿押さえカバーを完全に閉じる手前で支点越えをして原稿押さえカバーを閉じる方向へ付勢するとともに閉じた状態の原稿押さえカバーを開いて支点越えをした後は原稿押さえカバーを開く方向へ付勢する伸縮自在な圧縮ばねと、前記原稿押さえカバーが開状態で静止するときの衝撃を吸収する衝撃吸収部材と、を配置したので、該弾性部材が、摺動支持部材の当接部と当接して衝撃を吸収して、押さえカバーが開状態で静止するときの衝撃を、簡易な部材を用いることで確実に緩和することができた。
また、閉じた状態の押さえカバーを開くときに、該カバーを少し持ち上げるだけで、圧縮バネは支点越えをして押さえカバーを自動的に開くことができ、また、押さえカバーが開いて静止した状態を安定して保持することができた。
【００２２】
更に、請求項２の如く、前記衝撃吸収部材は、機台側支持部材とカバー側支持部材とにそれぞれ設けられ、原稿押さえカバーが開状態で静止するときに、互いに当接する部材にて構成されているので、
これらの衝撃吸収部材により開いた状態の押さえカバーの位置が決定され、該押さえカバーが静止する最大上方回動点で、開いた状態を安定して保持する。また、機台側支持部材とカバー側支持部材とにそれぞれ設けられる部材が当接する際には、当接の衝撃を吸収するので、この衝撃を緩和することができる。
【００２３】
更に、請求項３の如く、機台側支持部材とカバー側支持部材とにそれぞれ設けられる前記衝撃吸収部材の少なくとも一方の部材は、弾性部材にて構成されるので、
該押さえカバーを開状態に静止させるときの衝撃を、簡易な部材を用いることで確実に緩和することができ、また、簡易な部材を用いることで、該押さえカバーが開いて静止した状態を安定して保持することができた。
【図面の簡単な説明】
【図１】本発明の原稿押さえカバーの開閉機構であって、押さえカバーＣを開いた状態を示す側面一部断面図である。
【図２】同じく載置部Ｂ上に閉じた状態を示す側面一部断面図である。
【図３】同じく載置部Ｂ上の厚みのある原稿を押さえカバーで押さえつけた状態を示す側面一部断面図である。
【図４】本発明の原稿押さえカバーの開閉機構が適用される、上部に静止原稿の画像読取部を有する画像記録装置の斜視図である。
【図５】同じく画像記録装置の画像読取部の内部を示す部分側面図である。
【図６】連続原稿給送部を搭載した原稿押さえカバーを備えた画像記録装置の斜視図である。
【符号の説明】
Ａ  機台
Ｂ  載置部
Ｃ  押さえカバー
Ｄ  原稿
Ｐ３  枢支点
４  付勢杆
５  圧縮バネ
６  機台側支持部材
７  摺動支持部材
７ａ  当接部
８  カバー側支持部材
１６  連続原稿給送装置
１７  原稿供給トレイ
１８  原稿排出トレイ
２１  弾性部材
２２  ボルト
【図１】
0003627438.tif 000002
【図２】
0003627438.tif 000003
【図３】
0003627438.tif 000004
【図４】
0003627438.tif 000005
【図５】
0003627438.tif 000006
【図６】
0003627438.tif 000007